(57)【要約】【課題】ピアノ線等の不正具を使ってスピーカが破壊され警報音が出なくなるようにする不正行為を防止すると同時に、低音から高音に至るまで幅広い音域の迫力ある効果音や音楽、音声を再生することができる遊技機用スピーカを提供する。【解決手段】中低音再生用の大径スピーカ１と、該大径スピーカのコーン紙１ｅを覆うように該大径スピーカの前面に固着される保護蓋体２と、高音再生用の小径スピーカ３と、該小径スピーカが収容される小ケース４とからなり、保護蓋体２には前方に隆起するドーム状部２ｃが形成され、該ドーム状部の外周に側面音通孔２ｄを開設し、該保護蓋体の中心にセンター音通孔２ｈを形成し、前記小ケースを保護蓋体の前面に固着することによりセンター音通孔が正面から見て小径スピーカによって隠されるようにすると共に該小ケースの背面が前記センター音通孔から離間し通音用の間隙５が形成されるようにした。【選択図】図２
2010279397.tif 000002
【特許請求の範囲】
【請求項１】
中低音再生用の大径スピーカと、該大径スピーカのコーン紙を覆うように該大径スピーカの前面に固着される保護蓋体と、高音再生用の小径スピーカと、該小径スピーカが収容される小ケースとからなり、保護蓋体には前方に隆起するドーム状部が形成され、該ドーム状部の外周に側面音通孔を開設し、該保護蓋体の中心にセンター音通孔を形成し、前記小ケースを保護蓋体の前面に固着することにより前記センター音通孔が正面から見て小径スピーカによって隠されるようにすると共に該小ケースの背面が前記センター音通孔から離間し通音用の間隙が形成されるようにしたことを特徴とする遊技機用スピーカ。
【請求項２】
保護蓋体のセンター音通孔の前側縁に突筋状の返しを一体に形成したことを特徴とする請求項１に記載した遊技機用スピーカ。
【発明の詳細な説明】
【技術分野】
【０００１】
本発明は、パチンコ機等の遊技機内に設置され、効果音や警報を出す遊技機用スピーカに関するものである。
【背景技術】
【０００２】
周知のように、遊技場に設置されるパチンコ機、アレンジボール遊技機、雀球遊技機、スロットマシン等の遊技機は、不正行為をするために前面扉が開けられたり、ピアノ線等の不正具を差し込んで入賞口を開放したり、磁石を不正使用して遊技球を入賞口に誘導するなどの不正行為があったときに、遊技機に設けられているスピーカから異常を知らせる警報が大音量で発せられるようにしている。
【０００３】
また、一般に遊技機のスピーカは、音声が前方に出易いように音の出口に金網等のグリルが張設されたものであった。下記特許文献１、２もそのようなスピーカ周りの配置を示すものである。
また、下記特許文献３は、ピアノ線等の不正具がグリルの目の間から差し込まれてスピーカコーン紙を通過した場合でもその不正具が遊技盤まで到達しないように該コーン紙の裏側を防犯用突出板によって閉鎖し、防犯効果を高めようとするものである。
【先行技術文献】
【特許文献】
【０００４】
【特許文献１】特開平８−６６５３５号公報
【特許文献２】特開平８−１２６７５１号公報
【特許文献３】特開２００８−９３０７５号公報
【発明の概要】
【発明が解決しようとする課題】
【０００５】
しかし、上記のような防犯対策がされた遊技機においても、不正行為をしようとする者が、ピアノ線等の不正具を用いてスピーカのコーン紙（振動板）やボイスコイルを破壊し、警報音が出ないようにしてから、上記のような不正行為をするおそれがあった。
そこで、本発明は、ピアノ線等の不正具を使ってもコーン紙やボイスコイルが全面的に破壊され警報音が出なくなるようなおそれがない遊技機用スピーカを提供しようとするものである。
また、本発明は、上記のような防犯機能を備えつつも、低音から高音に至るまで幅広い音域の音が再生可能となり、迫力ある効果音や音楽、音声によって遊技者を楽しませることのできる遊技機用スピーカを提供しようとするものである。
【課題を解決するための手段】
【０００６】
そのために本発明に係る遊技機用スピーカは、中低音再生用の大径スピーカと、該大径スピーカのコーン紙を覆うように該大径スピーカの前面に固着される保護蓋体と、高音再生用の小径スピーカと、該小径スピーカが収容される小ケースとからなり、保護蓋体には前方に隆起するドーム状部が形成され、該ドーム状部の外周に複数の側面音通孔を開設し、該保護蓋体の中心にセンター音通孔を形成し、前記小ケースを保護蓋体の前面に固着することにより前記センター音通孔が正面から見て小径スピーカによって隠されるようにすると共に該小ケースの背面が前記センター音通孔から離間し通音用の間隙が形成されるようにしたことを特徴とする。
【０００７】
また、本発明は上記遊技機用スピーカにおいて、保護蓋体のセンター音通孔の前側縁に突筋状の返しを一体に形成したことを特徴とする。
【発明の効果】
【０００８】
ピアノ線等の不正具が差し込まれても保護蓋体によって衝止されることから、大径スピーカまで破壊されるようなことがない。このため、警報音が出ないようになることがない。また、大径スピーカの音は保護蓋体に設けられた側面音通孔とセンター音通孔を通って前面に出るので、常態では大径スピーカと小径スピーカとによって幅広い周波数帯域の音声が再生され、遊技者を楽しませることができる。
【図面の簡単な説明】
【０００９】
【図１】本発明に係る遊技機用スピーカの分解斜視図。
【図２】本発明に係る遊技機用スピーカの斜視図。
【図３】本発明に係る遊技機用スピーカの縦断面図。
【図４】本発明に係る遊技機用スピーカが取り付けられるパチンコ遊技機の分解斜視図。
【発明を実施するための最良の形態】
【００１０】
次に本発明の実施形態を図面に従い説明する。図１〜図３において、１はダイナミック型と称される中低音再生用の大径スピーカで、前面にフランジ１ａが形成されたハウジング１ｂと、永久磁石１ｃと、ボイスコイル１ｄと、コーン紙１ｅとからなる。２は該大径スピーカ１のコーン紙を覆うように該大径スピーカの前面に固着されるプラスチック製の保護蓋体、３は同じくダイナミック型と称される高音再生用の小径スピーカ、４は該小径スピーカを収容するために皿状に形成されたプラスチック製の小ケースである。
【００１１】
保護蓋体２は、大径スピーカ１のフランジ１ａと重合するフランジ部２ａが形成され、該フランジ部２ａの四隅に取付孔２ｂが形成されていると共に、前方に隆起するドーム状部２ｃが一体に形成され、該ドーム状部２ｃの外周に複数の側面音通孔２ｄが開設される。２ｅは該ドーム状部２ｃの前面に突設された環状突条、２ｆは該ドーム状部２ｃの前面に突設された複数の取付孔付のボスである。該ドーム状部２ｃの内側は漏斗状に形成され、該漏斗状部２ｇの中心（該保護蓋体２の中心）にセンター音通孔２ｈが形成され、該センター音通孔２ｈの前側縁に突筋状の返し２ｉが一体に形成されている。
【００１２】
また、小ケース４は、小径スピーカ３を収容し得る浅皿状に形成され、開口縁にラッパ状拡径部４ａが形成されていると共に、周縁部に複数の取付片４ｂが放射状に突設されている。なお、４ｃは小径スピーカ３の配線端子３ａを突出させるため小ケース４に形成された開口部である。そして、取付片４ｂにビス４ｄを貫挿し該ビスを前記ボス２ｆの取付孔に螺合することにより、該小ケース４を保護蓋体２の前面に固着する。このように小ケース４を固着することにより、センター音通孔２ｈが正面から見て小径スピーカ３および小ケース４の外周縁によって隠されるようにすると共に、該小ケース４の背面がセンター音通孔２ｈから離間し、該小ケース４の背面と漏斗状部２ｇの前面との間に通音用の間隙５が形成されるようにしている。
【００１３】
図４は、このように大径スピーカ１の前面に保護蓋体２を固着し、さらに該保護蓋体２の前面に小ケース４に収納された小径スピーカ３を配設してなる本発明に係る遊技機用スピーカをパチンコ遊技機に取り付ける場合を例示したもので、６は遊技盤７が設けられた遊技機本体、８は上方両隅角部にこの遊技機用スピーカを貫通し得る開口９が形成された扉内板、１０は上方両隅角部にスピーカの音を通し易いように金網、パンチングメタル等のグリル１１が張設された前面板である。
【００１４】
グリル１１は概略０．５〜３ｍｍの目孔が形成されていることから、細いピアノ線等の不正具を差し込むことが可能であり、このような不正具を差し込んで小径スピーカ３を破壊することは可能であるが、その不正具の先端を側面音通孔２ｄに貫通させることは困難であるので、たとえ不正具が差し込まれても大径スピーカ１のコーン紙やボイスコイルを破壊することは困難であると共に、その不正具を前記間隙５に通したとしてもその不正具の先端は返し２ｉに突き当たってしまうことから不正具の先端をセンター音通孔２ｈから大径スピーカ１のコーン紙やボイスコイルに達するようにすることもまた困難となる。このため、このような不正具を使って大径スピーカ１を警報等が出なくなるように破壊することは困難となり、不正行為を未然に防止することができる。
【００１５】
そして、常には高音域の音が小径スピーカ３によって再生され、大径スピーカ１から再生された中低音は、側面音通孔２ｄを通って前方に出るほか、センター音通孔２ｈ、隙間５を通って前方に出るので、中低音の効いた迫力のある高音質の効果音や音楽、音声を遊技者に聞かせることができる。
【００１６】
なお、この実施形態では、小ケース４に突設した取付片４ｂをボス２ｆにビス止めすることにより、通音用の間隙５が形成されるようにしたが、保護蓋体２の前面に取付片を突設することで、間隙５が形成されるようにしてもよく、要するに、センター音通孔２ｈから離間するように小ケース４を保護蓋体２の前面に固着すればよい。
また、小ケース４は小径スピーカ３の外形フレームと一体に形成されていてもよく、そうすることで部品点数を減らすことができる。
また、この実施形態では、保護蓋体２の中心に丸い形状のセンター音通孔２ｈを形成したが、該センター音通孔は、楕円形、多角形等に形成されていてもよいことは勿論である。
【産業上の利用可能性】
【００１７】
本発明に係る遊技機用スピーカは、実施形態に示したパチンコ遊技機のほか、アレンジボール遊技機、雀球遊技機、スロットマシン遊技機等に設けることで、不正行為を防止すると同時に高音質の効果音や音楽、音声を再生することが可能となる。
【符号の説明】
【００１８】
１      大径スピーカ
１ｅ    コーン紙
２      保護蓋体
２ｃ    ドーム状部
２ｄ    側面音通孔
２ｇ    漏斗状部
２ｈ    センター音通孔
２ｉ    返し
３      小径スピーカ
４      小ケース
４ｂ    取付片
５      間隙
【図１】
2010279397.tif 000003
【図２】
2010279397.tif 000004
【図３】
2010279397.tif 000005
【図４】
2010279397.tif 000006